(57)【要約】【課題】近接センサの検知漏れを少なくできる空気調和機用のリモートコントロール装置等を提供する。【解決手段】空気調和機を操作する空気調和機用のリモートコントロール装置であって、載置面と、前記載置面に対して傾斜する傾斜面を有する操作面とを有する筺体と、前記傾斜面の下端側に配置された近接センサとを有する。【選択図】図４
2020067194.tif 000002
【特許請求の範囲】
【請求項１】
空気調和機を操作する空気調和機用のリモートコントロール装置であって、
載置面と、前記載置面に対して傾斜する傾斜面を有する操作面とを有する筺体と、
前記傾斜面の下端側に配置された近接センサと
を有することを特徴とする空気調和機用のリモートコントロール装置。
【請求項２】
前記傾斜面において前記近接センサよりも前記傾斜面の上端側に配置された表示部を有することを特徴とする請求項１に記載の空気調和機用のリモートコントロール装置。
【請求項３】
前記傾斜面上に配置された複数のボタンを有し、
前記近接センサは、
前記傾斜面上に配置された前記複数のボタンよりも内側にあって、前記傾斜面の下端側に配置されることを特徴とする請求項１に記載の空気調和機用のリモートコントロール装置。
【請求項４】
空気調和機を操作する空気調和機用のリモートコントロール装置であって、
載置面と、前記載置面に対して傾斜する傾斜面を有する操作面とを有する筺体と、
前記傾斜面の下端側の領域の上方を検知範囲とする近接センサと
を有することを特徴とする空気調和機用のリモートコントロール装置。
【発明の詳細な説明】
【技術分野】
【０００１】
本発明は、空気調和機用のリモートコントロール装置に関する。
【背景技術】
【０００２】
例えば、携帯端末内部に配置された近接センサを使用して利用者の頭部を検知することで、利用者が携帯端末を耳に当てている状態を携帯端末側で認識する方法が知られている（例えば、特許文献１）。このとき携帯端末では、通話する際に利用者が携帯端末のスピーカに耳を当てるため、当該スピーカ部の近傍に近接センサを配置し利用者の頭部を検出している。
【先行技術文献】
【特許文献】
【０００３】
【特許文献１】特開２０１６−１５８１４４号公報
【発明の概要】
【発明が解決しようとする課題】
【０００４】
しかしながら、例えば、携帯端末のようなスピーカ部を持たない電子機器では、近接センサの配置位置によっては、近接センサが利用者を検知できないことが多発するおそれがあった。
【０００５】
本発明ではこのような問題に鑑み、近接センサの検知漏れを防ぐことができる空気調和機用のリモートコントロール装置を提供することを目的とする。
【課題を解決するための手段】
【０００６】
一つの態様の空気調和機用のリモートコントロール装置は、空気調和機を操作する空気調和機用のリモートコントロール装置であって、載置面と、前記載置面に対して傾斜する傾斜面を有する操作面とを有する筺体と、前記傾斜面の下端側に配置された近接センサとを有する。
【発明の効果】
【０００７】
一つの側面として、近接センサの検知漏れが減少できる。
【図面の簡単な説明】
【０００８】
【図１】図１は、本実施例の空気調和システムの一例を示す説明図である。
【図２】図２は、リモコンの機能構成の一例を示すブロック図である。
【図３】図３は、室内機の停止中又は運転中のメニュー画面の遷移の一例を示す説明図である。
【図４】図４は、リモコンの斜視図である。
【図５】図５は、リモコンを床面に置いた状態で上方から見た図である。
【図６】図６は、リモコンを温度センサが配置された側から見た側面図である。
【図７】図７は、リモコンを温度センサが向かって右手に来るように見た側面図である。
【図８】図８は、リモコンの底面図である。
【図９】図９は、リモコンの底面側から見た斜視図である。
【図１０】図１０は、ホルダ部材の正面図である。
【図１１】図１１は、スリープモードの解除操作の一例を示す説明図である。
【図１２】図１２は、リモコンをホルダ部材に装着する際の装着方法の一例を示す説明図である。
【発明を実施するための形態】
【０００９】
以下、図面に基づいて、本願の開示する空気調和機用のリモートコントロール装置の実施例を詳細に説明する。尚、本実施例により、開示技術が限定されるものではない。また、以下に示す各実施例は、矛盾を起こさない範囲で適宜変形しても良い。
【実施例】
【００１０】
図１は、本実施例の空気調和システム１の一例を示す説明図である。図１に示す空気調和システム１は、空気調和機の室内機２と、室内機２を操作するリモートコントロール装置（以下、単にリモコンとも称する）３とを有する。
【００１１】
室内機２は、例えば、室内に配置され、室内に調和された空気を送り出す空気調和機の一部である。尚、室内機２の利用者は、リモコン３の操作により室内機２を遠隔操作することが可能である。室内機２には、室内ファンや室内熱交換器が備えられ、室内熱交換器で冷媒と熱交換を行った室内空気が吹き出されることで、部屋の暖房、冷房、除湿等が行われる。また、図示しない室外機には、室外ファンや圧縮機等が備えられている。
【００１２】
図２は、リモコン３の機能構成の一例を示すブロック図である。図２に示すリモコン３は、通信部１１と、表示部１２と、操作部１３と、近接センサ１４と、温度センサ１５と、記憶部１６と、制御部１７とを有する。通信部１１は、室内機２と通信接続する通信インタフェースである。表示部１２は、各種情報を表示する。操作部１３は、利用者が各種コマンドを入力する。近接センサ１４は、利用者の操作を検知するセンサである。温度センサ１５は、室内環境の室内温度や室内湿度を検知するセンサである。記憶部１６は、例えば、ＲＯＭ（Read  Only  Memory）やＲＡＭ(Random  Access  Memory)等を有し、データやプログラム等の各種情報を格納する。制御部１７は、リモコン３全体を制御する、例えば、ＣＰＵ（Central  Processing  Unit）等である。
【００１３】
制御部１７は、リモコン３の消費電力を節約するためのスリープモードの設定が可能である。制御部１７は、スリープモード中の場合、近接センサ１４を稼働状態にし、例えば、表示部１２、操作部１３や温度センサ１４等への給電を停止してスリープ状態にしている。その結果、リモコン３全体の消費電力を節約できる。制御部１７は、近接センサ１４で利用者の操作を検知すると、スリープモードを解除して表示部１２、操作部１３及び温度センサ１５等への給電を開始することになる。操作部１３には、後述する上下左右の選択ボタン３１と、後述する決定ボタン３２とを有する。
【００１４】
図３は、室内機２の停止中又は運転中のメニュー画面の遷移の一例を示す説明図である。表示部１２は、メニュー画面を表示する。メニュー画面には、例えば、ホーム画面、運転モード画面、風量画面、風向画面、機能画面、タイマ画面等の複数の画面がある。室内機２が停止中の場合のメニュー画面は、操作部１３内の左右の選択ボタン３１のボタン操作に応じて複数のメニュー画面から一つのメニューを選択可能に遷移する。メニュー画面は、例えば、ホーム画面→運転モード画面→機能画面→タイマ画面→ホーム画面→運転モード画面→…のようにトグル状に遷移する。また、室内機２が運転中の場合のメニュー画面は、左右の選択ボタン３１のボタン操作に応じて複数のメニュー画面から一つのメニューを選択可能に遷移する。メニュー画面は、例えば、ホーム画面→運転モード画面→風量画面→風向画面→機能画面→タイマ画面→ホーム画面→運転モード画面→…のようにトグル状に遷移する。
【００１５】
ホーム画面は、操作部１３内の上下の選択ボタン３１のボタン操作に応じてホーム画面上の選択項目、例えば、停止及び運転の選択項目の内、一つの項目を選択する画面である。停止は、室内機２の停止を選択する項目、運転は、室内機２の運転を選択する項目である。運転モード画面は、上下の選択ボタン３１のボタン操作に応じて運転モード画面上の選択項目、例えば、冷房、除湿、暖房、自動や送風の選択項目の内、一つの項目を選択する画面である。冷房は、運転モードとして冷房を選択する項目、除湿は、運転モードとして除湿を選択する項目、暖房は、運転モードとして暖房を選択する項目、自動は、運転モードとして自動を選択する項目、送風は、運転モードとして送風を選択する項目である。
【００１６】
風量画面は、上下の選択ボタン３１のボタン操作に応じて風量画面上の選択項目、例えば、全ファン連動風量及び中央ファン風量を選択する選択項目の内、一つの項目を選択する画面である。全ファン連動風量は、室内機２の中央ファンの風量を調節する項目である。中央ファン風量は、室内機２の中央ファンの風量を調節する項目である。
【００１７】
風向画面は、上下の選択ボタン３１のボタン操作に応じて風向画面上の選択項目、例えば、全ファン連動上下、全ファン連動左右、中央ファン上下や中央ファン左右等を選択する選択項目の内、一つの項目を選択する画面である。全ファン連動上下は、中央ファンを連動させ上下方向の風向きを調節する項目である。全ファン連動左右は、中央ファンを連動させ左右方向の風向きを調節する項目である。中央ファン上下は、中央ファンの上下の風向きを調節する項目である。中央ファン左右は、中央ファンの左右の風向きを調節する項目である。
【００１８】
機能画面は、上下の選択ボタン３１のボタン操作に応じて機能画面上の選択項目、例えば、節電センサ、省エネファン及び室外音ひかえめの機能を設定する画面である。節電センサは、近接センサ１４以外の温度センサ１５等の各種センサの通電状態を停止するセンサの省エネモードを選択する項目である。省エネファンは、中央ファンの省エネモードを選択する項目である。室外音ひかえめは、室外機の騒音を小さくするためのモードを選択する項目である。タイマ画面は、上下の選択ボタン３１のボタン操作に応じてタイマ画面上の選択項目、例えば、お休みタイマやマルチタイマを選択する選択項目の内、一つの項目を選択する画面である。お休みタイマは、室内機２の運転又は停止を設定するタイマ時刻を調節する項目である。マルチタイマは、複数のタイマ時刻を調節する項目である。
【００１９】
図４は、リモコン３の斜視図、図５は、リモコン３を床面に置いた状態で上方から見た図、図６は、リモコン３を温度センサ１５が配置された側から見た側面図、図７は、リモコン３を温度センサ１５が向かって右手に来るように見た側面図、図８は、リモコン３の底面図、図９は、リモコン３の底面側から見た図である。図４に示すリモコン３は、柱状の筺体２０を有する。筺体２０は、操作面２１と、載置面２２と、操作面２１と載置面２２とを繋ぐ側面部２３とを有する。
【００２０】
操作面２１は、図７に示すように、載置面２２を基準として傾斜する第１の傾斜面２１Ａを有する。第１の傾斜面２１Ａは、載置面２２を基準にして、例えば、５°〜１５°傾斜している。リモコン３を載置面２２が水平になるように置いたときの、傾斜面２１の上端（最も高い点）Ｖ１、下端（最も低い点）Ｖ２を含み、鉛直方向に広がる面を仮想平面Ｖとし、Ｖ１、Ｖ２から等距離にあり、仮想平面Ｖと直交する平面を仮想平面Ｈとしたときに、仮想平面Ｈでリモコン３を２分割した場合、第１の傾斜面２１Ａの下端Ｖ２が含まれる領域２１１Ａ（下端側領域）と、第１の傾斜面２１Ａの上端Ｖ１が含まれる領域２１１Ｂ（上端側領域）とを有する。更に、図５及び図６に示すように、第１の傾斜面２１Ａの中央付近には、表示部１２が配置されている。更に、操作面２１には、表示部１２の周辺に操作部１３が配置されている。操作部１３は、図５に示すように、上下左右の４個の選択ボタン３１と、１個の決定ボタン３２とを有する。選択ボタン３１は、図３に示す表示部１２の表示画面上の選択項目を上方向に画面を送る上選択ボタン３１Ａと、表示画面上の選択項目を下方向に画面を送る下選択ボタン３１Ｂとを有する。更に、選択ボタン３１は、表示画面上のメニュー画面を右方向に画面を送る右選択ボタン３１Ｄと、表示画面上のメニュー画面を左方向に画面を送る左選択ボタン３１Ｃとを有する。決定ボタン３２は、表示部１２の表示画面上の選択項目を確定するためのボタンである。
【００２１】
リモコン３は、右選択ボタン３１Ｄのボタン操作に応じて、例えば、ホーム画面→運転モード画面→風量画面→風向き画面→機能画面→タイマ画面→ホーム画面→運転モード画面→…のトグル状の順方向に選択できる。また、リモコン３は、左選択ボタン３１Ｃのボタン操作に応じて、トグル状の順方向と逆方向にメニュー画面を選択できる。
【００２２】
リモコン３は、例えば、選択中のメニュー画面が運転モード画面の場合、下選択ボタン３１Ｂのボタン操作に応じて、例えば、冷房→除湿→自動→送風→冷房→…のトグル状の順方向に選択項目を選択できる。また、リモコン３は、上選択ボタン３１Ａのボタン操作に応じて、トグル状の順方向と逆方向に選択項目を選択できる。
【００２３】
操作面２１には、第１の傾斜面２１Ａの領域２１１Ａ（下端側領域）に近接センサ１４が配置されている。近接センサ１４は、例えば、赤外線センサであって、赤外線を発光する発光部１４Ａと、対象物に反射された赤外線を受光する受光部１４Ｂとを有し、発光部１４Ａが発光した赤外線が対象物で反射され、受光部１４Ｂで受光されたとき対象物の存在を検知する。近接センサ１４は、操作面２１上の赤外線の検知範囲内で、例えば、操作者の操作を検知する。操作者の操作とは、ボタン操作する際に近接センサ１４上を操作する手が通過する動作である。尚、近接センサ１４の検知範囲は、例えば、第１の傾斜面２１Ａにおける領域２１１Ａ（下端側領域）の上方にある空間である。また、表示部１２は、第１の傾斜面２１Ａにおいて近接センサ１４よりも領域２１１Ｂ（上端側領域）に近い部分に配置されている。
【００２４】
図７に示す操作面２１と、床面に置かれる載置面２２とを繋ぐ側面部２３は、仮想平面Ｖと仮想平面Ｈが交わる交線Ｌから離れていくように、操作面２１に向かって傾斜する第２の傾斜面４１を有する。第２の傾斜面４１には、温度センサ１５の通気孔１５Ａが配置されている。温度センサ１５は、通気孔１５Ａを通じて室内の空気を取り込み、取り込まれた空気から室内の温度及び湿度を測定する。図８及び図９に示す載置面２２には、リモコン３を壁面に設置する際に使用するホルダ部材６０の突部６１Ｂに装着可能な凹部５１Ａを有する。
【００２５】
図１０は、ホルダ部材６０の正面図である。図１０に示すホルダ部材６０は、背板部６１と、第１の保持部６２と、第２の保持部６３とを有する。第１の保持部６２は、背板部６１の中心付近に設けられ、リモコン３をホルダ部材６０に装着する際にリモコン３の載置面２２が当接することでリモコン３を保持する。第２の保持部６３は、リモコン３をホルダ部材６０に装着する際にリモコン３の第２の傾斜面４１が当接することでリモコン３を保持する。背板部６１には、ホルダ部材６０を壁面に取り付けるための３個のネジ穴６１Ａが形成されている。第１の保持部６２は、リモコン３をホルダ部材６０に装着する際に、リモコン３の載置面２２が当接してリモコン３を保持する第１の保持面６２Ａと、第１の保持面６２Ａ上に突出し、リモコン３の凹部５１Ａに装着可能な突部６２Ｂとを有する。
【００２６】
第２の保持部６３は、リモコン３をホルダ部材６０に装着する際に、リモコン３の第２の傾斜面４１に当接して当該リモコン３を保持する第２の保持面６３Ａと、第２の保持面６３Ａの左右の周縁端部に形成された、第２の保持面６３Ａに対して突出する一対のストッパ部６３Ｂと、第２の保持面６３Ａの中央部に形成された通気窓６３Ｃとを有する。ストッパ部６３Ｂは、リモコン３をホルダ部材６０に装着する際に、ストッパ部６３Ｂがリモコン３の操作面２１に当接することで第２の保持部６３からリモコン３の脱落を防止する。通気窓６３Ｃは、リモコン３をホルダ部材６０に装着する際にリモコン３の第２の傾斜面４１の通気孔１５Ａに重なる位置に配置されている。温度センサ１５は、通気孔１５Ａ及び通気窓６３Ｃを通じて室内の空気を取り込むことができる。
【００２７】
操作面２１は、載置面２２に対して傾斜し、その第１の傾斜面２１Ａ上には、近接センサ１４よりも上端Ｖ１側に表示部１２が配置されている。下端Ｖ２側は、利用者にとっては手前側であって、通常、利用者は、手前側から見たり操作したりする。その結果、利用者は、第１の傾斜面２１Ａの下端Ｖ２側の方向から表示部１２を見るため、表示部１２の表示画面が視認し易くなる。しかも、第１の傾斜面２１Ａには、表示部１２の周辺に操作部１３が配置されている。その結果、利用者は、第１の傾斜面２１Ａの下端Ｖ２側の方向から表示部１２の表示画面を見ながら、操作部１３のボタン操作がし易くなる。
【００２８】
図１１は、スリープモードの解除操作の一例を示す説明図である。尚、説明の便宜上、リモコン３は、スリープモードとする。利用者は、図１１に示すように、第１の傾斜面２１Ａ上の表示部１２を見ながら下端Ｖ２側の方向から操作部１３を操作する際に、例えば、スリープモード中のリモコン３の第１の傾斜面２１Ａの下端Ｖ２側にある近接センサ１４上に手を延ばすことになる。リモコン３内の制御部１７は、近接センサ１４を通じて利用者の操作を検知すると、スリープモードを解除する。そして、制御部１７は、表示部１２、操作部１３及び温度センサ１５への給電を開始する。前述した通り、下端Ｖ２側は、利用者にとっては手前側であって、通常、利用者は、手前側から見たり操作したりする。その結果、利用者は、スリープモード中であっても、第１の傾斜面２１Ａの下端側の方向から操作部１３に対してボタン操作する中で自然にスリープモードを解除できる。
【００２９】
図１２は、リモコン３をホルダ部材６０に装着する際の装着方法の一例を示す説明図である。先ず、利用者は、リモコン３を壁面に取り付ける際、ホルダ部材６０の通気窓６３Ｃが床面（下方）に向くようにホルダ部材６０の背板部６１の背面を壁面に当接させ、背板部６１のネジ穴６１Ａにネジを挿入して背板部６１を壁面にネジ止めすることで、ホルダ部材６０を壁面に取り付ける。
【００３０】
更に、利用者は、壁面に取り付けられたホルダ部材６０の第１の保持面６２Ａ上にリモコン３の載置面２２を当接させて第１の保持面６２Ａの突部６２Ｂにリモコン３の凹部５１Ａを嵌め込む。更に、利用者は、ホルダ部材６０の第２の保持面６３Ａ上にリモコン３の第２の傾斜面４１を当接させてリモコン３を第２の保持面６３Ａ上に保持する。この際、ホルダ部材６０のストッパ部６３Ｂは、第２の保持面６３Ａ上に保持されたリモコン３の操作面２１の端部が当接することでリモコン３がホルダ部材６０から脱落するのを防いでいる。このように利用者は、載置面２２をホルダ部材６０の背板部６１に当接し、第２の傾斜面４１の下部にある通気孔１５Ａがホルダ部材６０の通気窓６３Ｃに位置するように、リモコン３をホルダ部材６０に装着する。その結果、リモコン３は、ホルダ部材６０を介して壁面に取り付けられることになる。この際、リモコン３の第２の傾斜面４１の通気孔１５Ａは、床面に向くように下方に位置することになる。
【００３１】
本実施例のリモコン３は、操作面２１が載置面２２に対して傾斜する第１の傾斜面２１Ａを有し、第１の傾斜面２１Ａにおける下端Ｖ２側に、例えば、表示部１２の下方側に近接センサ１４を配置した。その結果、利用者は、利用者から見た手前側である第１の傾斜面２１Ａの下端Ｖ２側の方向から操作部１３に対してボタン操作する中でスリープモードが解除できるため、その操作性が向上する。
【００３２】
リモコン３は、第１の傾斜面２１Ａにおいて近接センサ１４よりも上端Ｖ１側に表示部１２が配置されるため、利用者は、第１の傾斜面２１Ａの下端Ｖ２側の方向から表示部１２を見た場合に表示部１２の表示画面の視認性が高くなる。しかも、第１の傾斜面２１Ａ上の表示部１２の周辺に操作部１３を配置したので、利用者は、表示部１２の表示画面を見ながら操作部１３のボタン操作がし易くなる。
【００３３】
しかも、リモコン３は、第１の傾斜面２１Ａにおける領域２１１Ａ（下端側領域）に近接センサ１４を配置した。つまり、第１の傾斜面２１Ａにおける傾斜面２１Ａにおける領域２１１Ａ（下端側領域）、すなわち利用者がリモコン３に対し操作をする際に手を通過させる可能性が高い空間の下方に近接センサ１４を配置したので、近接センサ１４による検知漏れを少なくできる。しかも、近接センサ１４が利用者の操作を確実に検知できる。
【００３４】
また、上記実施例のリモコン３では、操作面２１が第１の傾斜面２１Ａを有する場合を例示した。しかしながら、操作面２１を第１の傾斜面２１Ａではなく、載置面２２と並行の平坦面にしても良く、操作面２１の中央部から表示部１２の手前側に近接センサ１４を配置しても良い。
【００３５】
また、リモコン３は、近接センサ１４を第１の傾斜面２１Ａにおける領域２１１Ａ（下端側領域）に配置する場合を例示したが、第１の傾斜面２１Ａにおける領域２１１Ａ（下端側領域）の上方が近接センサ１４の検知範囲となるのであれば、近接センサ１４の配置位置は領域２１１Ａ（下端側領域）に限定されるものではなく、近接センサ１４の検知範囲に合せて任意の箇所に配置可能である。
【００３６】
また、リモコン３は、円柱状の筺体２０を有する場合を例示したが、円柱状の筺体２０に限定されるものではなく、例えば、四角柱等の多角柱状や底面が楕円の柱状の筺体でも良く、適宜変更可能である。
【００３７】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００３８】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００３９】
２  室内機
３  リモコン
１２  表示部
１３  操作部
１４  近接センサ
１５Ａ  通気孔
２０  筺体
２１  操作面
２１Ａ  第１の傾斜面
２２  載置面
２３  側面部
【図１】
2020067194.tif 000003
【図２】
2020067194.tif 000004
【図３】
2020067194.tif 000005
【図４】
2020067194.tif 000006
【図５】
2020067194.tif 000007
【図６】
2020067194.tif 000008
【図７】
2020067194.tif 000009
【図８】
2020067194.tif 000010
【図９】
2020067194.tif 000011
【図１０】
2020067194.tif 000012
【図１１】
2020067194.tif 000013
【図１２】
2020067194.tif 000014